(57)【特許請求の範囲】
【請求項１】
テーブル上またはその付近に設置される電気器具の配線類の余長部分を前記テーブルの天板の下方に収納するためのテーブルの配線類収納装置であって、前記テーブルの天板の下面に設けられた複数の係止部と、これらの係止部に係止される複数の被係止部を周辺部に有する可撓性のシート状部材とを備え、前記テーブルの天板の係止部と前記シート状部材の被係止部とを、前記シート状部材の全面を前記天板の下面に対向させる張付き状態と、前記シート状部材を、そのほぼ中央部が折曲して垂下する折曲吊下状態とにおいて選択的に係止できる設定としたことを特徴とするテーブルの配線類収納装置。
【請求項２】
テーブルの天板の係止部をねじ孔とそれに螺合する止めねじとし、かつシート状部材の被係止部をハトメ状の透孔とし、該透孔に挿通した止めねじを、前記ねじ孔に螺合するようにした請求項１記載のテーブルの配線類収納装置。
【請求項３】
シート状部材を、四隅部に透孔を有する四角形状の弾性材製ネットを主体とし、前記透孔に対応する配置でテーブルの天板下面に設けた４個のねじ孔に選択的に前記透孔を合致させることにより、全面が平坦な張付き状態と、２つ折りの折曲吊下状態とにおいて、止めねじにより着脱可能に係止可能とした請求項１または２記載のテーブルの配線類収納装置。
【請求項４】
シート状部材に、２つ折り状態において対向する側縁部同士を閉止する閉止具を設けた請求項１〜３のいずれかに記載のテーブルの配線類収納装置。
【請求項５】
閉止具を、シート状部材における２つ折り状態としたときに互いに対向する側縁部に設けたホックとした請求項４記載のテーブルの配線類収納装置。
【請求項６】
シート状部材を、ネットからなる主体部分の周縁部に可撓性の補強帯を一体に設けたものとし、かつ透孔または閉止具を、前記補強帯に設けた請求項２〜５のいずれかに記載のテーブルの配線類収納装置。
【請求項７】
少なくとも１対の係止部を、天板の下面の一側縁部に設けた請求項１〜６のいずれかに記載のテーブルの配線類収納装置。
【発明の詳細な説明】
【０００１】
【発明の属する技術分野】
本発明は、テーブル上またはその近辺において使用される電気器具等の配線類の余長部分をテーブル天板の下方に能率よく、かつ体裁よく収納することができる簡易なテーブルの配線類収納装置に関するものである。
【０００２】
【従来の技術】
近年、コンピュータや映像、音響等の各種電気器具の普及により、複数のケーブルやコードが複雑に配線される場合が多くなっており、これらの機器をテーブルの天板上や下方等の近辺位置に設置する場合、配線類の余長部分がテーブルの天板の上下、周囲で繁雑化し易くなっている。
【０００３】
このような配線類がテーブルの周辺や下方空間に繁雑な形で配置されていると、外観が悪くなるだけでなく、テーブルでの作業の邪魔となったり、接触による配線の外れを招く等、種々の不便があり、これらの配線を整理よく収納できる収納装置が要望されている。
【０００４】
従来、この種の収納装置としては種々の提案がなされており、例えば特開平７−２７５０４５号公報等では、天板の下面にボックス状あるいは棚状の配線類収納装置をレールを介して引き出し可能に支持する技術が開示されている。これにより、天板の下面を利用して配線類を整理よく収納する等の利便が得られている。
【０００５】
【発明が解決しようとする課題】
しかし、上述の従来の技術においては、構成が大掛りで多数の部品を有する複雑な構成となっており、手軽な使用が望めない。また、収納装置がボックス状あるいは棚等の一定形状を有しているため、常にテーブルの天板の下面のスペースが大きい割合で占有され、配線類を収納しない場合等においては、収納具が邪魔になり易い。また、配線類が収納部内で遊離し易く、配線自体の弾性復元力や外力により、配線類がボックス外方に垂れ下がったりして、見栄えが悪くなり易い。
【０００６】
さらに、棚位置や配線類の導入用開口の位置、あるいは向き等によっては、電気器具の配置により収納位置までの配線類の引出し長さが長くなり、例えば電気器具をテーブル上に配置した場合と、下方に配置した場合とでは、いずれかの配置の電気器具の配線類が垂れ下がったりする場合がある。
【０００７】
さらにまた、ボックス状の形態で配線が隠れる状態で収納されるものでは、収納状態が外部から見えにくいため、整理に手間取ったり、外面が完全遮蔽状態となるため、配線類からの放熱性が悪い等の不具合もある。
【０００８】
本発明は、上述の問題点に鑑み、構成が簡易で、天板下方の空間の専用スペースが小さく、配線類の収納、非収納、配線類の多少等に対しても良好な使い分けができて邪魔になることがなく、また収納時における配線類の引出し方向や高さ等の要請に対応することが容易で、配線類の垂れ下がり等に確実に対処することができるようにしたテーブルの配線類収納装置を提供することを目的としている。
【０００９】
また、本発明は、収納される配線類が外部から視認し易く整理が容易に行えるうえ、放熱性等にも優れたテーブルの配線類収納装置を提供することを目的とする。
【００１０】
【課題を解決するための手段】
本発明によると、上記課題は、次のようにして解決される。
（１）テーブル上またはその付近に設置される電気器具の配線類の余長部分を前記テーブルの天板の下方に収納するためのテーブルの配線類収納装置であって、前記テーブルの天板の下面に設けられた複数の係止部と、これらの係止部に係止される複数の被係止部を周辺部に有する可撓性のシート状部材とを備え、前記テーブルの天板の係止部と前記シート状部材の被係止部とを、前記シート状部材の全面を前記天板の下面に対向させる張付き状態と、前記シート状部材を、そのほぼ中央部が折曲して垂下する折曲吊下状態とにおいて選択的に係止できる設定とする。
【００１１】
（２）前記(１)項において、テーブルの天板の係止部をねじ孔とそれに螺合する止めねじとし、かつシート状部材の被係止部をハトメ状の透孔とし、該透孔に挿通した止めねじを、前記ねじ孔に螺合するようにする。
【００１２】
（３）前記(１)または(２)項において、シート状部材を、四隅部に透孔を有する四角形状の弾性材製ネットを主体とし、前記透孔に対応する配置でテーブルの天板下面に設けた４個のねじ孔に選択的に前記透孔を合致させることにより、全面が平坦な張付き状態と、２つ折りの折曲吊下状態とにおいて、止めねじにより着脱可能に係止可能とする。
【００１３】
（４）前記(１)〜(３)項のいずれかにおいて、シート状部材に、２つ折り状態において対向する側縁部同士を閉止する閉止具を設ける。
【００１４】
（５）前記(４)項において、閉止具を、シート状部材における２つ折り状態としたときに互いに対向する側縁部に設けたホックとする。
【００１５】
（６）前記(２)〜(５)項のいずれかにおいて、シート状部材を、ネットからなる主体部分の周縁部に可撓性の補強帯を一体に設けたものとし、かつ透孔または閉止具を、前記補強帯に設ける。
【００１６】
（７）前記(１)〜(６)項のいずれかにおいて、少なくとも１対の係止部を、天板の下面の一側縁部に設ける。
【００１７】
【発明の実施の形態】
以下、本発明に係るテーブルの配線類収納装置の実施の形態について図面を参照して説明する。図１〜図４は、一つの使用形態における全体構成および部品構成を示し、図５〜図７は、異なる使用形態における全体構成および部品構成を示している。
【００１８】
図１は、本発明の一実施形態における配線類収納装置を有するテーブルを、斜め下方から見た全体構成図である。図２は、その側面図、図３は、図２の部分拡大図である。
【００１９】
これらの図１〜図３に示すように、テーブル(１)は長方形状の天板(２)を有し、天板(２)は、支持脚(３)に連結具(４)を介して支持されている。天板(２)の例えば一側縁に寄った位置の下面に、係止部として、４個のねじ孔(５)が四角形の四隅に設けられている。
【００２０】
配線類収納用として、四角形状の可撓性のシート状部材(６)が設けられている。このシート状部材(６)は、弾性繊維等からなる伸縮性のネット(７)を主体として構成され、このネット(７)の周縁部には、厚手の可撓性繊維等からなる補強帯(８)によって一体に縁取りされている。この補強帯(８)は平行な２辺の両端位置において若干長い角片(９)を有し、この角片(９)は、シート状部材(６)の四隅部に突出している。
【００２１】
各角片(９)には、被係止部としてのハトメ状の透孔(10)がそれぞれ形成されており、これらの透孔(10)は、テーブル(１)の天板(２)の係止部としてのねじ孔(５)に対応する配置となっている。
【００２２】
図４に詳細に示すように、シート状部材(６)の補強帯(８)のうち、角片(９)の突出方向と異なる方向に沿う平行な２辺には、シート状部材(６)を２つ折りとしたとき、それらの互いに対向する部位を相互に閉止できる閉止具として、嵌合係止式のホック(11)が、所要の間隔をもって複数組、例えば４組設けられている。ホック(11)は、例えば補強帯(８)の両端位置は空けて配置されている。
【００２３】
このような構成において、図１〜図３に示すように、シート状部材(６)が、その全面をテーブル(１)の天板(２)の下面に対向させる張付き状態とされる。
【００２４】
この場合、天板(２)の各ねじ孔(５)に対して、シート状部材(６)の四隅の透孔(10)が合致され、下方から係止部の一部である化粧ねじ等の止めねじ(12)が、シート状部材(６)の透孔(10)を通って、天板(２)の各ねじ孔(５)に螺合される。
【００２５】
これにより、シート状部材(６)の全面が天板(２)の下面に張付き状態で固定されるので、天板(２)の下面とシート状部材(６)との間には僅かの隙間があるだけである。また、シート状部材(６)は下方への伸縮のみが許容される状態である。
【００２６】
図５〜図７は、異なる使用形態を示している。図５は、シート状部材(６)を２つ折りとし、これを斜め上から見た状態を示し、図６は、この折曲状態のシート状部材(６)をテーブル(１)に垂下状態で装着した場合を、側面視で示し、図７は、図６と直交する方向の側面視を示している。
【００２７】
図５〜図７に示すように、本実施形態では、シート状部材(６)を、そのほぼ中央部が折曲して垂下する折曲吊下状態として、テーブル(１)の天板(２)に係止することができる。
【００２８】
この場合には、図７に示すように、２つ折りとしたシート状部材(６)の互いに対向する角片(９)(９)を、それぞれ前後方向から延出させてきて、上下に重合する状態とし、その２個の角片(９)(９)をまとめて、天板(２)の１個のねじ孔(５)に対して１個の止めねじ(12)により締結する。なお、吊下位置は、例えば天板(２)の一側縁、特に後縁に寄った位置の２個のねじ孔(５)(５)に設定する。
【００２９】
また、両角片(９)(９)は、互いに拝み合せ状に重合して、１個の止めねじ(12)により止着するようにしてもよい。
【００３０】
この場合の折曲は、補強帯(８)のホック(11)が設けられている互いに向き合う２辺が合致する方向で行い、重合位置にあるホック(11)を相互に嵌合係止させる。これにより、２つ折りとなったシート状部材(６)の両側縁の各ホック(11)の間には、それぞれ開口(13)が形成される。
【００３１】
この２つ折りの吊下状態では、シート状部材(６)が厚さ方向に自由に伸縮できる状態となっている。
【００３２】
配線類を収納する必要がない場合には、図１〜図３に示すように、シート状部材(６)を、テーブル(１)の天板(２)下面への張付き状態としておく。
これにより、不使用時にはシート状部材(６)が天板(２)の下面に張付いた状態で配置されるので、天板(２)の下方には何等の邪魔となる突出がなく、テーブル下方が解放状態に維持され、使用者等の邪魔になることがない。
【００３３】
また、この状態では、前述したように、天板(２)の下面とシート状部材(６)との間に僅かの隙間があるだけであり、またシート状部材(６)は、下方への伸縮のみが許容される状態であるので、例えば天板(２)の上に設置した電気器具等の配線類が少量である場合に、シート状部材(６)の縁部を少し下げて開口させ、その開口部分からネット(７)上に配線類を収納することができる。
この場合には、天板(２)の下面に沿って能率よく配線類を保持することができるとともに、ネット(７)の弾性力によって配線類を適度の締付け力をもって保持することができる。
【００３４】
一方、収納すべき配線類が多い場合には、図６および図７に示すように、シート状部材(６)を２つ折りの折曲吊下状態とする。この状態で、配線類の着脱を行う場合には、シート状部材(６)の両側縁のホック(11)を外して両側縁開口状態とし、着脱終了後にホック(11)を嵌合係止させて閉止する。この場合、シート状部材(６)のネット(７)が厚さ方向に自由に伸縮できる状態となっているので、多量の配線類を収納することができる。
【００３５】
また、配線類をネット(７)を介して外部から視認できるので、整理よく収納することができ、かつネット(７)の弾性力によって、確実に保持することができる。
【００３６】
配線類の引き出しは、ホック(11)間の開口(13)を介して行うことができ、例えば上方配置の電気器具の配線類は、上端側の開口(13a)、また下方配置の電気器具の配線類は、下端側の開口(13b)を介して行うことができる。
【００３７】
以上の実施形態によると、テーブル(１)の天板(２)の下面に、シート状部材(６)を全面張り付き状態と折曲吊下状態との２態様を選択して装着することにより、配線類の収納または非収納、あるいは収納する配線類の多少に応じて、適宜使い分け、天板(２)の下方空間を余分に占有することなく、また邪魔になったりすることなく、簡易な構成のもとで配線類を能率よく、かつ体裁よく収納することができる。
【００３８】
また、止めねじ(12)の使用により、シート状部材(６)の着脱、使用状態の変更等が手軽に、かつ確実に行え、また弾性材製のネット(７)の使用により配線類をコンパクトにまとめて、かつ外部から容易に視認できる状態で収納でき、配線類が極めて容易に整理でき、しかも通気性に富むため放熱性が高く、安全面からも優れたものとなる。
【００３９】
シート状部材(６)が、２つ折り状態において側縁部を閉止でき、配線類を引き抜き力等に対しても、脱落等なく確実に保持することができ、またシート状部材(６)が、補強帯(８)によって十分な強度を有するものとなり、簡易な構成でありながらも十分な高強度を備え、多量の配線類の保持にも耐え得るものとなる。
【００４０】
シート状部材(６)が、二つ折り状態において側縁の上下部に開口(13)を有することから、テーブル(１)の上方あるいは下方等に設置される電気器具の配線類の余長部分を、極めて近い位置で導入して保持することができ、配線類の非支持部分を減少することができる。
【００４１】
また、シート状部材(６)をテーブル(１)の天板(２)の一側縁寄りに配置することにより、天板(２)の中央部の下方空間を大きく解放することができ、吊下状態においても、テーブル(１)の下方での使用者の邪魔になることがなく、利便性の向上が図れる。
【００４２】
前記実施形態においては、シート状部材(６)を四角形状としたが、他の多角形状としてもよく、またシート状部材(６)の閉止具をホック(11)としたが、これに代えて、面ファスナ、ジッパー式ファスナ、またはマグネット式ファスナ等を適用してもよい。
【００４３】
また、係止部を、天板の下面に下向き突設したフックと、これに被係止部としたシート状部材の透孔を係止させるようにしたり、または係止部を天板の下面に突設したリングまたは爪とし、これに被係止部としてシート状部材に設けたフックを係止させるようにしてもよい。
さらに、本実施形態の構成は、既存のテーブルに対しても容易に適用することができる。
【００４４】
【発明の効果】
本発明によると、次のような効果を奏することができる。
請求項１記載の発明によれば、テーブルの天板下面に、シート状部材を全面張り付き状態と折曲吊下状態との２態様を選択して装着することにより、配線類の収納または非収納、あるいは収納する配線類の多少に応じて、適宜使い分け、天板の下方空間を余分に占有することなく、また邪魔になったりすることなく、簡易な構成のもとで配線類を能率よく、かつ体裁よく収納することができる。
【００４５】
請求項２記載の発明によれば、止めねじの使用により、シート状部材の着脱、使用状態の変更等を、手軽に、かつ確実に行える。
【００４６】
請求項３記載の発明によれば、弾性材製ネットの使用により、シート状部材が伸縮できる構成となるので、配線類をコンパクトにまとめて、かつ外部から容易に視認できる状態で収納でき、配線類が極めて容易に整理でき、しかも通気性に富むため放熱性が高く、安全面からも優れたものとなる。
【００４７】
請求項４記載の発明によれば、シート状部材が２つ折り状態において側縁部を閉止でき、配線類を脱落等なく確実に保持することができる。
【００４８】
請求項５記載の発明によれば、シート状部材を二つ折り状態としたとき、シート状部材の側縁同士を容易に開閉することができ、またシート状部材を張付き状態としたときに、閉止具が邪魔になることがない。
【００４９】
請求項６記載の発明によれば、シート状部材が補強帯によって十分な強度を有するものとなり、簡易な構成でありながらも十分な高強度を備え、多量の配線類の保持にも耐え得るものとなる。
【００５０】
請求項７記載の発明によれば、天板の下面の一側縁部に設けた１対の係止部に、折曲吊下状態としたシート状部材を係止させることにより、天板の下方空間を大きく解放することができ、シート状部材がテーブルの下方で使用者の邪魔になることがない。
【図面の簡単な説明】
【図１】本発明の一実施形態を備えるテーブルの一部を下方より見た斜視図である。
【図２】図１の部分的な側面図である。
【図３】図２の拡大図である。
【図４】図１におけるシート状部材の斜視図である。
【図５】シート状部材を折曲した状態で示す斜視図である。
【図６】前記実施形態における異なる使用状態を示す正面図である。
【図７】図６の側面図である。
【符号の説明】
(１)テーブル
(２)天板
(３)支持脚
(４)連結具
(５)ねじ孔（係止部）
(６)シート状部材
(７)ネット
(８)補強帯
(９)角片
(10)透孔（被係止部）
(11)ホック（閉止具）
(12)止めねじ（係止部）
【図１】
0004148381.tif 000002
【図２】
0004148381.tif 000003
【図３】
0004148381.tif 000004
【図４】
0004148381.tif 000005
【図５】
0004148381.tif 000006
【図６】
0004148381.tif 000007
【図７】
0004148381.tif 000008